【手続補正書】
【提出日】令和2年12月16日(2020.12.16)
【手続補正１】
【補正対象書類名】明細書
【補正対象項目名】発明の名称
【補正方法】変更
【補正の内容】
【発明の名称】透過型の液晶表示装置
【手続補正２】
【補正対象書類名】特許請求の範囲
【補正対象項目名】全文
【補正方法】変更
【補正の内容】
【特許請求の範囲】
【請求項１】
同じ列方向に配置されて隣り合う第１の画素及び第２の画素を有し、
前記第１の画素は、第１のトランジスタと、第２のトランジスタと、第３のトランジスタと、第１の容量素子と、第２の容量素子と、第３の容量素子と、第１の液晶素子と、第２の液晶素子と、第１の走査線と、第２の走査線と、を有し、
前記第１のトランジスタのゲート及び前記第２のトランジスタのゲートは、前記第１の走査線と電気的に接続され、
前記第１のトランジスタのソースまたはドレインの一方は、前記第１の液晶素子の第１の端子と電気的に接続され、
前記第１の液晶素子の第１の端子は、前記第１の容量素子の第１の端子と電気的に接続され、
前記第１の容量素子の第１の端子は、前記第３のトランジスタのソースまたはドレインの一方と電気的に接続され、
前記第３のトランジスタのソースまたはドレインの他方は、前記第３の容量素子の第１の端子と電気的に接続され、
前記第３のトランジスタのゲートは、前記第２の走査線と電気的に接続され、
前記第２のトランジスタのソースまたはドレインの一方は、前記第２の液晶素子の第１の端子と電気的に接続され、
前記第２の液晶素子の第１の端子は、前記第２の容量素子の第１の端子と電気的に接続され、
前記第２の画素は、第４のトランジスタと、第５のトランジスタと、第６のトランジスタと、第４の容量素子と、第５の容量素子と、第６の容量素子と、第３の液晶素子と、第４の液晶素子と、第３の走査線と、第４の走査線と、を有し、
前記第４のトランジスタのゲート及び前記第５のトランジスタのゲートは、前記第３の走査線と電気的に接続され、
前記第４のトランジスタのソースまたはドレインの一方は、前記第３の液晶素子の第１の端子と電気的に接続され、
前記第３の液晶素子の第１の端子は、前記第４の容量素子の第１の端子と電気的に接続され、
前記第４の容量素子の第１の端子は、前記第６のトランジスタのソースまたはドレインの一方と電気的に接続され、
前記第６のトランジスタのソースまたはドレインの他方は、前記第６の容量素子の第１の端子と電気的に接続され、
前記第６のトランジスタのゲートは、前記第４の走査線と電気的に接続され、
前記第５のトランジスタのソースまたはドレインの一方は、前記第４の液晶素子の第１の端子と電気的に接続され、
前記第４の液晶素子の第１の端子は、前記第５の容量素子の第１の端子と電気的に接続され、
前記第１の容量素子の第２の端子、前記第２の容量素子の第２の端子、前記第３の容量素子の第２の端子、前記第４の容量素子の第２の端子、前記第５の容量素子の第２の端子、及び前記第６の容量素子の第２の端子は、容量線と電気的に接続されている、透過型の液晶表示装置。
【請求項２】
第１の画素と、前記第１の画素の隣に配置された第２の画素と、を有し、
前記第１の画素は、第１のトランジスタと、第２のトランジスタと、第３のトランジスタと、第１の容量素子と、第２の容量素子と、第３の容量素子と、第１の液晶素子と、第２の液晶素子と、第１の走査線と、第２の走査線と、を有し、
前記第１のトランジスタのゲート及び前記第２のトランジスタのゲートは、前記第１の走査線と電気的に接続され、
前記第１のトランジスタのソースまたはドレインの一方は、前記第１の液晶素子の第１の端子と電気的に接続され、
前記第１の液晶素子の第１の端子は、前記第１の容量素子の第１の端子と電気的に接続され、
前記第１の容量素子の第１の端子は、前記第３のトランジスタのソースまたはドレインの一方と電気的に接続され、
前記第３のトランジスタのソースまたはドレインの他方は、前記第３の容量素子の第１の端子と電気的に接続され、
前記第３のトランジスタのゲートは、前記第２の走査線と電気的に接続され、
前記第２のトランジスタのソースまたはドレインの一方は、前記第２の液晶素子の第１の端子と電気的に接続され、
前記第２の液晶素子の第１の端子は、前記第２の容量素子の第１の端子と電気的に接続され、
前記第２の画素は、第４のトランジスタと、第５のトランジスタと、第６のトランジスタと、第４の容量素子と、第５の容量素子と、第６の容量素子と、第３の液晶素子と、第４の液晶素子と、第３の走査線と、第４の走査線と、を有し、
前記第４のトランジスタのゲート及び前記第５のトランジスタのゲートは、前記第３の走査線と電気的に接続され、
前記第４のトランジスタのソースまたはドレインの一方は、前記第３の液晶素子の第１の端子と電気的に接続され、
前記第３の液晶素子の第１の端子は、前記第４の容量素子の第１の端子と電気的に接続され、
前記第４の容量素子の第１の端子は、前記第６のトランジスタのソースまたはドレインの一方と電気的に接続され、
前記第６のトランジスタのソースまたはドレインの他方は、前記第６の容量素子の第１の端子と電気的に接続され、
前記第６のトランジスタのゲートは、前記第４の走査線と電気的に接続され、
前記第５のトランジスタのソースまたはドレインの一方は、前記第４の液晶素子の第１の端子と電気的に接続され、
前記第４の液晶素子の第１の端子は、前記第５の容量素子の第１の端子と電気的に接続され、
前記第１の容量素子の第２の端子、前記第２の容量素子の第２の端子、前記第３の容量素子の第２の端子、前記第４の容量素子の第２の端子、前記第５の容量素子の第２の端子、及び前記第６の容量素子の第２の端子は、容量線と電気的に接続され、
前記第１の画素及び前記第２の画素は、前記第２の走査線が延在する方向と交差する方向に配置されている、透過型の液晶表示装置。
【請求項３】
同じ列方向に配置されて隣り合う第１の画素及び第２の画素を有し、
前記第１の画素は、第１のトランジスタと、第２のトランジスタと、第３のトランジスタと、第１の容量素子と、第２の容量素子と、第３の容量素子と、第１の液晶素子と、第２の液晶素子と、第１の走査線と、第２の走査線と、を有し、
前記第１のトランジスタのゲート及び前記第２のトランジスタのゲートは、前記第１の走査線と電気的に接続され、
前記第１のトランジスタのソースまたはドレインの一方は、前記第１の液晶素子の第１の端子と電気的に接続され、
前記第１の液晶素子の第１の端子は、前記第１の容量素子の第１の端子と電気的に接続され、
前記第１の容量素子の第１の端子は、前記第３のトランジスタのソースまたはドレインの一方と電気的に接続され、
前記第３のトランジスタのソースまたはドレインの他方は、前記第３の容量素子の第１の端子と電気的に接続され、
前記第３のトランジスタのゲートは、前記第２の走査線と電気的に接続され、
前記第２のトランジスタのソースまたはドレインの一方は、前記第２の液晶素子の第１の端子と電気的に接続され、
前記第２の液晶素子の第１の端子は、前記第２の容量素子の第１の端子と電気的に接続され、
前記第２の画素は、第４のトランジスタと、第５のトランジスタと、第６のトランジスタと、第４の容量素子と、第５の容量素子と、第６の容量素子と、第３の液晶素子と、第４の液晶素子と、第３の走査線と、第４の走査線と、を有し、
前記第４のトランジスタのゲート及び前記第５のトランジスタのゲートは、前記第３の走査線と電気的に接続され、
前記第４のトランジスタのソースまたはドレインの一方は、前記第３の液晶素子の第１の端子と電気的に接続され、
前記第３の液晶素子の第１の端子は、前記第４の容量素子の第１の端子と電気的に接続され、
前記第４の容量素子の第１の端子は、前記第６のトランジスタのソースまたはドレインの一方と電気的に接続され、
前記第６のトランジスタのソースまたはドレインの他方は、前記第６の容量素子の第１の端子と電気的に接続され、
前記第６のトランジスタのゲートは、前記第４の走査線と電気的に接続され、
前記第５のトランジスタのソースまたはドレインの一方は、前記第４の液晶素子の第１の端子と電気的に接続され、
前記第４の液晶素子の第１の端子は、前記第５の容量素子の第１の端子と電気的に接続され、
前記第１の容量素子の第２の端子、前記第２の容量素子の第２の端子、前記第３の容量素子の第２の端子、前記第４の容量素子の第２の端子、前記第５の容量素子の第２の端子、及び前記第６の容量素子の第２の端子は、容量線と電気的に接続され、
前記第１のトランジスタ及び前記第２のトランジスタがオンになった後、前記第３のトランジスタがオンになるように制御される、透過型の液晶表示装置。
【請求項４】
第１の画素と、前記第１の画素の隣に配置された第２の画素と、を有し、
前記第１の画素は、第１のトランジスタと、第２のトランジスタと、第３のトランジスタと、第１の容量素子と、第２の容量素子と、第３の容量素子と、第１の液晶素子と、第２の液晶素子と、第１の走査線と、第２の走査線と、を有し、
前記第１のトランジスタのゲート及び前記第２のトランジスタのゲートは、前記第１の走査線と電気的に接続され、
前記第１のトランジスタのソースまたはドレインの一方は、前記第１の液晶素子の第１の端子と電気的に接続され、
前記第１の液晶素子の第１の端子は、前記第１の容量素子の第１の端子と電気的に接続され、
前記第１の容量素子の第１の端子は、前記第３のトランジスタのソースまたはドレインの一方と電気的に接続され、
前記第３のトランジスタのソースまたはドレインの他方は、前記第３の容量素子の第１の端子と電気的に接続され、
前記第３のトランジスタのゲートは、前記第２の走査線と電気的に接続され、
前記第２のトランジスタのソースまたはドレインの一方は、前記第２の液晶素子の第１の端子と電気的に接続され、
前記第２の液晶素子の第１の端子は、前記第２の容量素子の第１の端子と電気的に接続され、
前記第２の画素は、第４のトランジスタと、第５のトランジスタと、第６のトランジスタと、第４の容量素子と、第５の容量素子と、第６の容量素子と、第３の液晶素子と、第４の液晶素子と、第３の走査線と、第４の走査線と、を有し、
前記第４のトランジスタのゲート及び前記第５のトランジスタのゲートは、前記第３の走査線と電気的に接続され、
前記第４のトランジスタのソースまたはドレインの一方は、前記第３の液晶素子の第１の端子と電気的に接続され、
前記第３の液晶素子の第１の端子は、前記第４の容量素子の第１の端子と電気的に接続され、
前記第４の容量素子の第１の端子は、前記第６のトランジスタのソースまたはドレインの一方と電気的に接続され、
前記第６のトランジスタのソースまたはドレインの他方は、前記第６の容量素子の第１の端子と電気的に接続され、
前記第６のトランジスタのゲートは、前記第４の走査線と電気的に接続され、
前記第５のトランジスタのソースまたはドレインの一方は、前記第４の液晶素子の第１の端子と電気的に接続され、
前記第４の液晶素子の第１の端子は、前記第５の容量素子の第１の端子と電気的に接続され、
前記第１の容量素子の第２の端子、前記第２の容量素子の第２の端子、前記第３の容量素子の第２の端子、前記第４の容量素子の第２の端子、前記第５の容量素子の第２の端子、及び前記第６の容量素子の第２の端子は、容量線と電気的に接続され、
前記第１の画素及び前記第２の画素は、前記第２の走査線が延在する方向と交差する方向に配置され、
前記第１のトランジスタ及び前記第２のトランジスタがオンになった後、前記第３のトランジスタがオンになるように制御される、透過型の液晶表示装置。
【請求項５】
請求項１乃至４のいずれか一において、
前記第１の走査線、前記第２の走査線、前記第３の走査線、及び前記第４の走査線は、互いに異なる配線である、透過型の液晶表示装置。